(57)【特許請求の範囲】
【請求項１】
基板と、前記基板と一体に設けられ液体を吐出させるための吐出口と、前記吐出口と連通し、前記吐出口から吐出された液体が飛翔するための第一の空間部と、前記第一の空間部と連通し、かつ前記飛翔する液体が到達可能な距離内に位置し、前記液体を受入れるための受入口を有する第二の空間部とを有し、前記第一の空間部と前記第二の空間部は前記基板上に配置され、前記吐出口から前記第一の空間部を介して前記第二の空間部に前記液体を搬送することを特徴とする液体搬送装置。
【請求項２】
前記吐出口の液体と前記第二の空間部内の液体が、前記第一の空間部内の気体により分離されていることを特徴とする請求項１に記載の液体搬送装置。
【請求項３】
前記基板上に、前記吐出口に液体を供給するための供給室を備えることを特徴とする請求項１または２に記載の液体搬送装置。
【請求項４】
前記基板上に設けられた前記第一の空間部は凹部からなり、該凹部の底面の位置は前記吐出口の位置よりも深いことを特徴とする請求項１乃至３のいずれかの項に記載の液体搬送装置。
【請求項５】
前記基板上に設けられた前記第一の空間部は凹部からなり、該凹部の底面の位置は前記第二の空間部の底面の位置よりも深いことを特徴とする請求項１乃至３のいずれかの項に記載の液体搬送装置。
【請求項６】
前記基板上に、前記吐出口を複数有し、前記第二の空間部によって搬送された複数の液体を取り入れ混合するための混合室を更に有することを特徴とする請求項１乃至５のいずれかの項に記載の液体搬送装置。
【請求項７】
前記第一の空間部内の液体を前記基板の外部に排出するための流路を更に有することを特徴とする請求項１乃至６のいずれかの項に記載の液体搬送装置。
【請求項８】
さらに液体を供給する供給室、液体を搬送する液体搬送部、流路及び前記第二の空間部によって搬送された複数の液体を混合する混合室を有し、それらのうちの少なくとも一つを外気から遮断するための遮断部を備えることを特徴とする請求項１乃至７のいずれかの項に記載の液体搬送装置。
【請求項９】
前記吐出口に前記液体を搬送するための液体搬送部を更に有し、前記液体搬送部に発熱体素子が設けられ、前記発熱体素子を加熱することにより液体内に気泡を発生させ、前記気泡の膨張により、前記吐出口より液体を吐出することを特徴とする請求項１乃至８のいずれかの項に記載の液体搬送装置。
【請求項１０】
請求項１乃至９のいずれかに記載の液体搬送装置を用いて液体を搬送することを特徴とする化学分析装置。
【発明の詳細な説明】
【０００１】
【発明の属する技術分野】
本発明は、例えば、チップ上で化学分析や化学合成を行う小型化分析システム（μＴＡＳ：  Ｍｉｃｒｏ  Ｔｏｔａｌ  Ａｎａｌｙｓｉｓ  Ｓｙｓｔｅｍ）において、液体を搬送するための液体搬送装置に関する。
【０００２】
【従来の技術】
近年、立体微細加工技術の発展に伴い、ガラスやシリコン等の基板上に、微小な流路とポンプ、バルブ等の液体素子およびセンサを集積化し、その基板上で化学分析を行うシステムが注目されている。これらのシステムは、小型化分析システム、μ−ＴＡＳ（Ｍｉｃｒｏ  Ｔｏｔａｌ  Ａｎａｌｙｓｉｓ  Ｓｙｓｔｅｍ）あるいはＬａｂ  ｏｎ  ａ  Ｃｈｉｐと呼ばれている。化学分析システムを小型化することにより、無効体積の減少や試料の分量の大幅な低減が可能となる。また、分析時間の短縮やシステム全体の低消費電力化が可能となる。さらに、小型化によりシステムの低価格を期待することができる。μ−ＴＡＳは、システムの小型化、低価格化および分析時間の大幅な短縮が可能なことから、在宅医療やベッドサイドモニタ等の医療分野、ＤＮＡ解析やプロテオーム解析等のバイオ分野での応用が期待されている。
【０００３】
特開平１０−３３７１７３号公報においては、溶液を混合して反応を行った後、定量及び分析をしてから分離するという一連の生化学実験操作をいくつかのセルの組み合わせによって実現可能なマイクロリアクタが開示されている。図６にマイクロリアクタ６０１の概念を模式的に示す。マイクロリアクタ６０１は、シリコン基板上に平板で密閉された独立した反応チャンバを有している。このリアクタは、リザーバーセル６０２、混合セル６０３、反応セル６０４、検出セル６０５、分離セル６０６が組み合わされている。このリアクタを基板上に多数個形成することにより、多数の生化学反応を同時に並列的に行うことができる。さらに、単なる分析だけでなく、タンパク質合成などの物質合成反応もセル上で行うことができる。
【０００４】
また、Ｊｒ−Ｈｕｎｇ  Ｔｓａｉ  ａｎｄ  Ｌｉｗｅｉ  Ｌｉｎ，”Ａ  Ｔｈｅｒｍａｌ  Ｂｕｂｂｌｅ  Ａｃｔｕａｔｅｄ  Ｍｉｃｒｏ  Ｎｏｚｚｌｅ−Ｄｉｆｆｕｓｅｒ  Ｐｕｍｐ”，Ｐｒｏｃｅｅｄｉｎｇｓ  ｏｆ  ２００１ＩＥＥＥ  Ｍｉｃｒｏ  Ｅｌｅｃｔｒｏ  Ｍｅｃｈａｎｉｃａｌ  Ｓｙｓｔｅｍｓ  Ｗｏｒｋｓｈｏｐ  ，２００１，ｐｐ．４０９−４１２では、ヒータを加熱することにより液体を加熱し気泡を発生させ、発生した気泡の膨張と収縮を利用して液体を搬送する装置が開示されている。この装置の原理図を図７に示す。この装置では、図７に示したようにチャンバ７０２内に発熱体素子７０３が形成されている。またチャンバ７０２に連通する出口７０７と入口７０４には、テーパ−形状の流路７０５、７０６が形成されている。発熱体素子７０３に電圧を印加することにより、チャンバ内に気泡７０１が発生する。発生した気泡は一定時間膨張した後、収縮に転じてやがて消滅する。
【０００５】
気泡７０１の膨張時には、チャンバ７０２内の液体は気泡が膨張する作用力によりチャンバの外側に流出する。出口７０７側と入口７０４側には、流路７０５、７０６のテーパ−形状により流路抵抗に差が生じる。これにより、出口７０７に流出する流量は、入口７０４に流出する流量と比較して大きくなる（図７（ａ））。
【０００６】
一方、気泡７０１の収縮時には、出口側および入口側の流体は、チャンバ内に流入する。このときは、膨張時とは逆に、入口７０４側から流入する流量が出口７０７側から流入する流量よりも大きくなる（図７（ｂ））。
【０００７】
発熱体素子７０３を繰り返し駆動し、気泡７０１の膨張と収縮を繰り返すことにより、流体は入口７０４側から出口７０７側（図７において右から左に向かう方向）に搬送される。
【０００８】
【発明が解決しようとする課題】
特開平１０−３３７１７３号公報で開示されている図６に示したようなマイクロリアクタを使用する場合、例えばシリコーンチューブをリザーバーセル６０１に接続しシリンジポンプ等を用いて液体試料をリアクタ内に導入していた。このような場合、マイクロリアクタの外部にシリンジポンプが必要となり、コストが増大しシステム全体が大きくなってしまうという問題がある。またディスペンサー等を用いて、リザーバーに液体試料を滴下する場合も、同様にマイクロリアクタの外部に大掛かりな装置が必要となる。
【０００９】
また図６に示したようなマイクロリアクタを用いた場合、混合セル６０３内で混合した液体や、反応セル６０４内で反応した液体が、リザーバーセル６０２側に逆流してしまい、安定した化学反応が行われない場合があった。逆流を防止するためには、マイクロリアクタ内にマイクロバルブを形成する方法も考え得る。しかしながら、その場合、マイクロバルブを形成するのに非常に多くの工程を要しマイクロリアクタの作製コストが増大してしまう。またバルブを多数回開閉することにより、経時変化によりバルブの開閉性能やシール特性が劣化し、マイクロリアクタの寿命が短くなってしまう場合がある。
【００１０】
図７に示した液体搬送装置でも、出口７０７と入口７０４側の流体が連通しており、出口７０７側の液体が入口７０４側に逆流してしまう可能性がある。特に、発熱体素子を駆動していない場合に、出口７０７と入口７０４側の流体が連通していることにより拡散が生じ、出口７０７側の液体と入口７０４側の液体が混合してしまう。これを防止するためには、やはりマイクロバルブを形成する必要が生じる。
【００１１】
本発明は、外部にシリンジポンプやディスペンサー等の液体を導入するための機構を必要とすることなく液体の導入や搬送が可能であり、小型で低コストな液体搬送装置を提供するものである。
さらに、本発明は、複雑な機構のマイクロバルブを必要とすることなく液体の逆流を防止することが可能な液体搬送装置を提供するものである。
さらに、本発明は、上記の液体搬送装置を使用して、安定した化学反応を行うことができる長寿命な化学分析装置および化学分析方法を提供するものである。
【００１２】
【課題を解決するための手段】
即ち、本発明は、基板と、前記基板と一体に設けられ液体を吐出させるための吐出口と、前記吐出口と連通し、前記吐出口から吐出された液体が飛翔するための第一の空間部と、前記第一の空間部と連通し、かつ前記飛翔する液体が到達可能な距離内に位置し、前記液体を受入れるための受入口を有する第二の空間部とを有し、前記第一の空間部と前記第二の空間部は前記基板上に配置され、前記吐出口から前記第一の空間部を介して前記第二の空間部に前記液体を搬送することを特徴とする液体搬送装置である。
【００１３】
前記吐出口の液体と前記第二の空間部内の液体が、前記第一の空間部内の気体により分離されていることが好ましい。
前記基板上に、前記吐出口に液体を供給するための供給室を備えることが好ましい。
前記基板上に設けられた前記第一の空間部は凹部からなり、該凹部の深さは前記吐出口の底面の位置よりも深いことが好ましい。
【００１４】
前記基板上に設けられた前記第一の空間部は凹部からなり、該凹部の深さは前記第二の空間部の底面の位置よりも深いことが好ましい。
前記基板上に、前記吐出口を複数有し、搬送された複数の液体を取り入れ混合するための混合室を備えることが好ましい。
前記混合室で混合した前記液体を搬送するための吐出口をさらに備えることが好ましい。
【００１５】
前記第一の空間部内の液体を前記基体の外部に排出するための流路を有することが好ましい。
さらに液体を供給する供給室、液体を搬送する液体搬送部、流路及び搬送された複数の液体を混合する混合室を有し、それらのうちの少なくとも一つを外気から遮断するための遮断部を備えることが好ましい。
前記吐出口に前記液体を搬送するための液体搬送部を更に有し、前記液体搬送部に発熱体素子が設けられ、前記発熱体素子を急速に加熱することにより液体内に気泡を発生させ、前記気泡の膨張により、前記吐出口より液体を吐出することが好ましい。
【００１８】
さらに、本発明は、上記の液体搬送装置を用いて液体を搬送することを特徴とする化学分析装置である。
【００１９】
【発明の実施の形態】
以下、本発明を詳細に説明する。
図１は本発明の液体搬送装置を用いた化学分析装置の一形態を示す概念図である。以下、図１に示した化学分析装置を用いて、液体試料を成分ごとに分離し検出する場合を例にとり説明する。
【００２０】
図１に示した化学分析装置は、基板１０１上に液体供給タンク１０２〜１０４を有する。図２に示した本発明の液体搬送装置により、液体供給タンクから化学分析装置に液体が導入される。液体搬送装置に関しては、後の項で詳しく説明する。流路１０５〜１０７に供給されたそれぞれの液体は、混合室１０８に導入され、そこで混合される。混合した液体は、基板１０１上に形成された従来公知のポンプ１１０により、流路１０９を介して分離部１１１に送液され、ここで成分ごとに分離される。分離の方法としては、例えば液体クロマトグラフィ法、電気泳動法等が挙げられる。成分ごとに分離された液体は、流路１１２を介して検出部１１３に導入され、ここで検出される。検出の方法としては、例えば電気化学的検出方法、蛍光を用いた検出方法等が挙げられる。検出された試料は、排出口１１４から、装置外に排出される。なお、図１においては装置内の液体を外気から遮断するための遮断部は、省略してある。
【００２１】
液体供給タンク１０２−１０４は、基板１０１に対して着脱可能である。これにより、タンク内の液体試料が無くなった場合や、異なる液体試料を分析装置内に導入する場合は、交換することができる。また液体供給タンクを用いて液体を化学分析装置内に導入するので、装置外部に液体導入のためのポンプやディスペンサー等を設置する必要がない。
【００２２】
また、液体タンクを交換した直後は、古い液体試料や種類の異なる液体試料が混合室内に残留している可能性があるので、混合室内の液体を外部に排出する必要が生じる場合がある。このような場合は、通常の分析時は閉状態である弁１１６を開状態とすることにより、流路１１５を介して混合室内の液体を排出部１１４へ送液し、外部へ排出してもよい。この場合、流路１１５は、流路１０９に比べて、液体の流れ方向に垂直な断面を大きくし、流路抵抗を小さくすることが好ましい。これにより速やかに、混合室中の不要な液体を排出することが可能となる。
【００２３】
図２は、本発明の液体搬送装置の一形態を示す概念図である。図２の液体搬送装置は、基板２０１上に一体化した吐出口２０５を有する液体液体搬送部２０２、吐出口２０５から吐出された液滴（液体）２０９を飛翔させるための第一の空間部２１０、第一の空間部２１０と連通した第二の空間部２０４を有する。第二の空間部２０４は、吐出口２０５から吐出された液滴２０９が到達可能な距離内に位置し、液体を受入れる受入口２１２を備えている。また吐出口２０５内の液体と第二の空間部２０４内の液体は、第一の空間部内の気体により分離されている。これにより第二の空間部内の液体が液体搬送装置側に逆流して、液体搬送装置内の液体と混合もしくは反応することはない。このため、第二の空間部内の液体が液体搬送部に逆流するのを防ぐために、マイクロバルブ等の複雑な機構を設ける必要がない。
【００２４】
図２の液体搬送装置はさらに、液体搬送部２０２に液体を供給するための供給室２０７、供給室２０７に液体供給するための液体供給タンク２０３を有する。液体供給タンク２０３は、基板に対し着脱可能となっており、交換が可能である。液体供給タンク２０３内は、例えばスポンジ等の多孔質の物質で満たされていても良い。これにより、液体搬送部内に負圧が発生するので、液体搬送部２０２内の液体が、第一の空間部２１０内に移動するのを防ぐことができる。これ以外にも例えば、第一の空間部２１０の内壁に、液体の種類に応じて撥水処理や親水処理等の表面処理を施すことにより、第一の空間部内に液体が移動するのを防ぐことができる。
【００２５】
液体搬送部２０２には、液体内に気泡を発生するための発熱体素子２０６が設けられている。
【００２６】
また、第二の空間部２０４および液体搬送部２０２内の液体は、遮断部２０８により外気から遮断されている。これにより、大気に触れると変質する恐れにある液体に関しても、変質することなく搬送することが可能となる。遮断部２０８はガラス等の光を透過する材料であっても、透過しない材料であっても良い。光透過性の材料を用いることにより、搬送の状況を外部から確認することが可能となる。一方、光に当たることで変質する恐れのある液体を搬送する場合は、光を透過しない材質により遮断部を形成することが好ましい。
【００２７】
また、液体タンクの交換に際して、液体搬送部２０２、流路２０４及び供給室２０７に存在する古い液体試料を排出する必要がある。例えば、排出流路２１１からポンプで流路中の液体を引くことで排出する方法や、供給室２０７側から流路２０４方向に洗浄液を流すことで排出する方法などを用いて古い液体を排出する。ここで、液体タンクの交換に際してとは、液体タンクの交換の前でも後でもよい。
【００２８】
以下、図２に示した液体搬送装置の液体搬送の方法について説明する。
液体供給タンク２０３より供給室２０７に供給された液体は、まず発熱体素子２０６を有する液体搬送部２０２に送られる。発熱体素子２０６は薄膜抵抗体と該薄膜抵抗体にパルス電圧を印加するための配線（不図示）よりなる。薄膜抵抗体上に液体が存在した状態で、薄膜抵抗体にパルス電圧を印加し、膜沸騰が生じる温度まで温度を急激に上昇させることにより気泡が発生する。発生した気泡は、急激に膨張する。この気泡の急激な膨張に基づく作用力により吐出口２０５より液体試料が押し出され、吐出液滴２０９が形成される。吐出液滴２０９は、第一の空間部２１０中を飛翔し、第二の空間部２０４に到達する。膨張した気泡は、やがて収縮に転じ、さらに時間がたつと消滅する。気泡が発生してから消滅するまでに要する時間は数μｓｅｃ〜２０μｓｅｃ程度であり、最大１０数ｋＨｚ程度の繰り返し周波数で、気泡の膨張と収縮を繰り返し、液体試料を吐出させ液体搬送部２０２から第二の空間部２０４に搬送することが可能である。第二の空間部２０４に搬送された液体は、さらに、流路や例えば複数の液体を混合するための混合室に送られるる。
【００２９】
上記では、第二の空間部２０４を介して液体を流路や混合室等に搬送する場合を述べたが、第二の空間部２０４を介さずに液体搬送部２０２から、直接、流路や混合室等に液体を搬送する実施形態もある。
【００３０】
また、例えば液体供給タンクを交換した直後等は、異なる種類の液体試料や極わずかではあるが大気に触れて変質した試料等が、供給室２０７に混入する可能性がある。このような場合は、発熱体素子２０６の駆動条件を変更することにより、吐出液滴２０９の飛翔距離を短くし、吐出液滴２０９を第二の空間部２０４に到達させずに、第一の空間部２１０下部に落下させても良い。これにより、種類の異なる液体試料や変質した液体試料が、混合室内に混入するのを防ぐことができ、安定した混合、反応を得ることができる。
【００３１】
次に、発熱体素子の構成の具体例を、図３に示す。発熱体素子３０１は、基板３０５上に形成されており、薄膜抵抗体３０３の上下両面を絶縁体の保護層３０２で挟んだ構成となっている。薄膜抵抗体３０３の材質としては、金属材料、導電性を持たせたシリコン等の半導体材料が挙げられる。保護層３０２により、薄膜抵抗体の表面を化学反応から保護することが可能である。保護層３０２の材質としては、薬品耐性が高いものが好ましい。例えば、ＳｉＯ２  やＳｉ３  Ｎ４  等の絶縁材料、Ｔａ等の金属材料が挙げられる。また、薄膜抵抗体の両端は、保護層３０２に形成したコンタクトホールを介して電極３０４に電気的に接続されている。電極３０４を介して薄膜抵抗体の両端に電圧を印加することにより、発熱体素子を加熱することができる。
【００３２】
上記では、発熱体素子により気泡を発生させ液体を吐出する場合を述べたが、例えば従来公知のインクジェットヘッド等で用いられる圧電体素子や静電アクチュエータを用いて液体を吐出しても良い。
【００３３】
【実施例】
以下、実施例を用いて本発明を、より詳細に説明する。
なお実施例中における、寸法、形状、材質、作製条件、反応条件等は、一例であり、本発明の要件を満たす範囲内であれば、設計事項として任意に変更できるものである。
【００３４】
実施例１
本実施例では、本発明の液体搬送装置を作製方法について説明する。以下、図４に示した工程図を用いて本実施例の化学分析装置の作製方法を説明する。
【００３５】
まず、シリコン基板（たて２０ｍｍ、よこ２０ｍｍ）４０１上に、薄膜抵抗体と該薄膜抵抗体にパルス電圧を印加するための電極（不図示）よりなる発熱体素子４０２を形成した。薄膜抵抗体の材質としては、Ｐ（リン）イオンを導入することにより導電性を持たせた多結晶シリコンを用いた。薄膜抵抗体の表面は、保護層であるＳｉＮ膜（不図示）で覆われた構造とした（図４（ａ））。本実施例の発熱体素子の構成は、図３に示したものと同様の構成である。
【００３６】
次に、フォトリソグラフィ法によりフォトレジストパターンを形成した。該フォトレジストパターンをエッチングマスクとして、ＳＦ６  ガスおよびＣ４  Ｆ８  ガスを用いてドライエッチングを行い、供給室４０３および第一の空間部４０４を形成した（図４（ｂ））。このとき発熱体素子４０２は、フォトレジストにより保護されている。
【００３７】
次に、第二の空間部４０５および第一の空間部４０４の上部および供給室４０３の上部を、フォトリソグラフィとドライエッチングにより形成したシリコン基板４０６を、エポキシ系接着剤を用いて、シリコン基板４０１に貼り合わせた。さらに、ガラスよりなる遮断部４０７を、シリコン基板４０６にエポキシ系接着剤を用いて貼り合わせた。遮断部４０７には、液体供給タンクから供給室４０３に液体を供給するための液体供給口４０８を、あらかじめエッチングにより形成しておいた（図４（ｃ））。
【００３８】
次に、ポリプロピレンよりなる液体供給タンク４０９を作製し、液体供給タンク内に液体を充填した状態で液体供給口４０８に装着した（図４（ｄ））。液体供給タンク４０９には、爪部４１１が設けられており、爪部４１１を液体供給口４０８に引っ掛けることにより固定することが可能となっている。この工程によりにより、供給室４０３および液体搬送部４１０は液体により満たされた。
以上の工程により図２に概念図を示した液体搬送装置を作製することができた。
【００３９】
実施例２
本実施例では、図２示した液体搬送装置を組み合わせることにより、図５に示した化学分析装置を作製した。図５は、図２におけるＢ−Ｂ’断面図に対応する断面図である。本実施例の化学分析装置は、フォトリソグラフィのフォトマスクを変更するのみで、実施例１の作製方法で作製することが可能である。
【００４０】
本実施例の化学分析装置では、基板（たて２５ｍｍ、よこ４０ｍｍ）上に、混合室５０１、供給室５０２〜５０４、混合室５０５、供給室５０６が形成されている。混合室５０１、供給室５０２〜５０４、５０６には、液体を供給するための液体供給タンク５１１〜５１４、５１６が設置されている。図５においては、各液体供給タンクを点線で示した。さらに、混合室５０１および５０５、供給室５０２〜５０４には、下流側の混合室に液体を搬送するための発熱体素子５２１〜５２５および吐出液滴が飛翔するための第一の空間部５３１〜５３５が設置されている。各供給室および混合室間は、これらの第一の空間部により分離されており、各供給室および混合室間の液体が混じりあうことはない。図５において、各第一の空間部中を飛翔する吐出液滴の方向を矢印で示した。
【００４１】
図５に示した化学分析装置を用いて、ラット肝臓中カルニチンパルミトイル転移酵素活性の測定を実施した。以下にその手順を示す。
まず、緩衝液（１６ｍＭトリス−塩酸緩衝液、２．５ｍＭ  ＥＤＴＡ、０．２％トリトンＸ−１００（商品名；キシダ化学社製）ｐＨ８．０、０．５ｍｌ）に水を加えて良く混合する。該溶液を液体供給タンク５１１に入れる。液体供給タンク５１１を混合室５０１上に配置することにより、混合室５１１内に該溶液が導入される。なお、「Ｍ」は、「ｍｏｌ／ｌ」の濃度の単位を示す。
【００４２】
次に、冷生理食塩水で洗浄したラットの肝臓の一部（約３０ｇ）を２００ｍｌのホモジナイズ用緩衝液（０．２５Ｍショ糖液、１ｍＭ  ＥＤＴＡを含む３ｍＭトリス塩酸（ｐＨ７．２））でホモジナイズし、５００ｘｇで１０分間（４℃）遠心する。得られた上澄を他の遠心チューブに移し、９，０００ｘｇで１０分間（４℃）遠心し、上澄として検体サンプルを得る。得られた検体サンプル溶液を液体供給タンク５１２に入れ、供給室５０２上に配置する。これにより供給室５０２に検体サンプルが導入される。
【００４３】
同様に、５ｍＭのＤＴＮＢ水溶液を供給室５０３に導入する。
同様に、８０μＭのパルミトイル−ＣｏＡ溶液（商品名；ＳＩＧＭＡ社製）を供給室５０４に導入する。
同様に、緩衝液（１６ｍＭトリス−塩酸緩衝液、２．５ｍＭ  ＥＤＴＡ、０．２％トリトンＸ−１００（ｐＨ８．０）；０．５ｍｌ）に水を加えた溶液を供給室５０６に導入する。
【００４４】
この状態で、発熱体素子５２２を駆動することにより、供給室５０２内の液体を混合室５０１に搬送する。同時に、発熱体素子５３３を駆動することにより、供給室５０３内の液体を混合室５０１に搬送する。この状態を１分間保持する。次に、発熱体素子５３１を駆動することにより、混合室５０１内の液体を混合室５０５に搬送する。同時に、発熱体素子５２４を駆動することにより、供給室５０４内の液体を混合室５０５に搬送する。この状態を１分間保持する。
【００４５】
次に、発熱体素子５２５を駆動することにより、混合室５０５内の液体を供給室５０６に導入する。その後、供給室５０６の液体を検出部に搬送し、波長５００ｎｍの光吸収を測定することにより、ラット肝臓中カルニチンパルミトイル転移酵素活性の経時変化を測定することができた。
【００４６】
【発明の効果】
以上説明したように、本発明の液体搬送装置では、基板中に一体化された吐出口を有する液体搬送部を用い、前記吐出口に連通した第一の空間部に液体を吐出し、該空間部中に吐出液滴を飛翔させることにより液体を第二の空間部に搬送することにより、外部からポンプ等を用いて圧力を供給することなく、液体を搬送することが可能となった。
【００４７】
さらに本発明の液体搬送装置では、液体搬送部の液体と該液体搬送部から液体を搬送する第二の空間部内の液体が第一の空間部の気体により分離されていることにより、マイクロバルブ等の複雑な機構なしに、液体の逆流を抑えることが可能となった。これにより低コストで安定した化学反応を行うことが可能で、長寿命な化学分析装置を提供することが可能となった。
【図面の簡単な説明】
【図１】本発明の液体搬送装置を用いた化学分析装置を示す概念図である。
【図２】本発明の液体搬送装置を示す説明図である。
【図３】本発明の液体搬送装置に用いる発熱体素子を示す説明図である。
【図４】本発明の液体搬送装置の作製方法を示す工程図である。
【図５】本発明の液体搬送装置を用いた化学分析装置を示す概念図である。
【図６】従来技術のマイクロリアクタを示す概念図である。
【図７】従来技術の液体搬送装置を示す概念図である。
【符号の説明】
１０１  基板
１０２−１０４  液体供給タンク
１０５−１０７  流路
１０８  混合室
１０９  流路
１１０  ポンプ
１１１  分離部
１１２  流路
１１３  検出部
１１４  排出口
２０１  基板
２０２  液体搬送部
２０３  液体供給タンク
２０４  第二の空間部（流路）
２０５  吐出口
２０６  発熱体素子
２０７  供給室
２０８  遮断部
２０９  吐出液滴
２１０  第一の空間部（空間）
２１１  排出流路
２１２  受入口
３０１  発熱体素子
３０２  保護層
３０３  薄膜抵抗体
３０４  電極
３０５  基板
４０１  シリコン基板
４０２  発熱体素子
４０３  供給室
４０４  第一の空間部
４０５  第二の空間部（流路）
４０６  シリコン基板
４０７  遮断部
４０８  液体供給口
４０９  液体供給タンク
４１０  液体搬送部
４１１  爪部
５００  基板
５０１、５０５  混合室
５０２〜５０４、５０６  供給室
５１１〜５１４、５１６  液体供給タンク
５２１〜５２５  発熱体素子
５３１〜５３５  第一の空間部
６０１  マイクロリアクタ
６０２  リザーバセル
６０３  混合セル
６０４  反応セル
６０５  検出セル
６０６  分離セル
【図１】
0003610349.tif 000002
【図２】
0003610349.tif 000003
【図３】
0003610349.tif 000004
【図４】
0003610349.tif 000005
【図５】
0003610349.tif 000006
【図６】
0003610349.tif 000007
【図７】
0003610349.tif 000008